(57)【要約】【課題】  簡便な構造で騒音の低減を図ることができるバルコニー用防音手摺り構造を提供する。【解決手段】  本発明のバルコニー用防音手摺り構造は、水平方向に延びるパラペット部１とこのパラペット部１に対して上下方向に間隔を開けて設けられて水平方向に延びる手摺り子との間に、音の干渉により減音させる干渉溝６、７を形成する干渉溝形成壁板４が設けられている。【選択図】  図１
2005256566.tif 000002
【特許請求の範囲】
【請求項１】
水平方向に延びるパラペット部と該パラペット部に対して上下方向に間隔を開けて設け
られて水平方向に延びる手摺り子との間に、音の干渉により減音させる干渉溝を形成する
干渉溝形成壁板が設けられていることを特徴とするバルコニー用防音手摺り構造。
【請求項２】
前記干渉溝形成壁板は水平方向に延びる水平溝を高さ方向に複数個形成し、前記水平溝
は異なる波長の音を減音させるためにその溝の深さが異なっていることを特徴とする請求
項１に記載のバルコニー用防音手摺り構造。
【請求項３】
深い水平溝の中に浅い水平溝が形成されていることを特徴とする請求項１に記載のバル
コニー用防音手摺り構造。
【請求項４】
前記手摺り子が前記パラペット部に立設された支持脚に支持されていることを特徴とす
る請求項１ないし請求項３のいずれか１項に記載のバルコニー用防音手摺り構造。
【請求項５】
前記干渉溝形成壁板が前記手摺り子を支持していることを特徴とする請求項１ないし請
求項３のいずれか１項に記載のバルコニー用防音手摺り構造。
【発明の詳細な説明】
【技術分野】
【０００１】
本発明は、バルコニー用防音手摺り構造の改良に関する。
【背景技術】
【０００２】
従来から、住宅のバルコニー部分の防音構造として、吸音天井板を設けた技術が知られ
ている（例えば、特許文献１参照。）。
【０００３】
また、交通騒音低減用の防音壁構造として、音の回折防止のために干渉技術を用いたも
のがある（例えば、特許文献２）。
【０００４】
更に、交通騒音低減用の防音構造として壁の頂点部分に吸音技術を用いたものもある（
特許文献３参照。）。
【特許文献１】特開平８−１２８１０７号公報
【特許文献２】特許第３０４５０２９号公報
【特許文献３】特開平１１−３５０４３５号公報
【発明の開示】
【発明が解決しようとする課題】
【０００５】
しかしながら、特開平８−１２８１０７号公報に開示の従来の技術では、水を吸うと吸
音効率が著しく変化する多孔質吸音材料を用いているので、吸水対策を格別に講じなけれ
ばならず、特許第３０４５０２９号公報に開示の従来技術では、防音壁を楕円型形状とし
かつ騒音源に対して両側に配置してしかも騒音源が焦点位置となる大型の吸音構造を採用
するため、簡便にバルコニー用の手摺り構造には採用し難く、特開平１１−３５０４３５
号公報に開示のものは、防音壁本体の上端に吸音体を設け、この吸音体とほぼ平行に遮音
板を設ける構造であるので、このものも簡便にバルコニー用の手摺り構造には採用し難い
という不都合がある。
【０００６】
本発明は、上記の事情に鑑みて為されたもので、その目的は、簡便な構造で騒音の低減
を図ることができるバルコニー用防音手摺り構造を提供することにある。
【課題を解決するための手段】
【０００７】
請求項１に記載のバルコニー用防音手摺り構造は、水平方向に延びるパラペット部と該
パラペット部に対して上下方向に間隔を開けて設けられて水平方向に延びる手摺り子との
間に、音の干渉により減音させる干渉溝を形成する干渉溝形成壁板が設けられていること
を特徴とする。
【０００８】
請求項２に記載のバルコニー用防音手摺り構造は、前記干渉溝形成壁板は水平方向に延
びる水平溝を高さ方向に複数個形成し、前記水平溝は異なる波長の音を減音させるために
その溝の深さが異なっていることを特徴とする。
【０００９】
請求項３に記載のバルコニー用防音手摺り構造は、深い水平溝の中に浅い水平溝が形成
されていることを特徴とする。
【００１０】
請求項４に記載のバルコニー用防音手摺り構造は、前記手摺り子が前記パラペット部に
立設された支持脚に支持されていることを特徴とする。
【００１１】
請求項５に記載のバルコニー用防音手摺り構造は、前記干渉溝形成壁板が前記手摺り子
を支持していることを特徴とする。
【発明の効果】
【００１２】
請求項１ないし請求項５に記載の発明によれば、簡便な構造で騒音の低減を図ることが
できるという効果を奏する。
【発明を実施するための最良の形態】
【００１３】
以下に、図面を参照しつつ本発明に係わるバルコニー用防音手摺り構造の実施例を説明
する。
【実施例】
【００１４】
図１において、１はバルコニーの外周部に形成されているパラペット部である。このパ
ラペット部１は水平方向に長く延びており、このパラペット部１には水平方向に所定間隔
を開けて複数個の支持脚２が立設されている。
【００１５】
その支持脚２の上端には、水平方向に長く延びる手摺り子３がパラペット部１に対して
上下方向に間隔を開けて設けられている。その手摺り子３とパラペット部１との間には干
渉溝形成用壁板４が設けられている。この干渉溝形成用壁板４は音の干渉により減音させ
る干渉溝６、７を形成するためのものである。この干渉溝形成用壁板４は水平方向に長く
延びる屈曲板部５を上下に有する。この屈曲板部５は深さＤ１が浅くかつ水平方向に長く
延びる干渉溝６としての水平溝６ａ、６ｂ、６ｃを形成するのと、水平溝６ａ、６ｂ、６
ｃの深さＤ１よりも深さＤ２が深くかつ水平方向に長く延びる干渉溝７としての水平溝７
ａ、７ｂを形成するのに用いられる。
【００１６】
水平溝６ａ、７ａはパラペット部１と下側の屈曲板部５とにより形成され、水平溝６ｂ
は下側の屈曲板部５と上側の屈曲板部６とにより形成され、水平溝６ｃ、７ｂは上側の屈
曲板部５と手摺り子３とにより形成される。
【００１７】
この水平溝は図２に原理的に示すように、公式Ｄ／｛（２Ｎ＋１）／４｝によって求め
られる波長λの音を干渉により減衰させるのに用いられ、進行波Ａ１と反射波Ｂ１との位
相が１８０度ずれるので、干渉により音が打ち消されるものである。
【００１８】
なお、上記公式において、符号Ｄは溝の深さ、Ｎは波数である。
【００１９】
ここでは、深さＤ１は４３ｃｍ、深さＤ２は８５ｃｍとされ、深さＤ１の水平溝６ａ〜
６ｃはほぼ波長λ＝２ＫＨｚの音を干渉させて減音させるに用いられ、深さＤ２の水平溝
７ａ、７ｂはほぼ波長λ＝１ＫＨｚの音を干渉させて減音させるのに用いられ、いずれの
音も交通騒音に対して特徴的な音である。なお、音速は３４０ｍ／秒として計算した。
（変形例１）
図２は本発明の実施例の変形例１を示すもので、この変形例１の場合、下側の屈曲板部
５と上側の屈曲板部５とにより形成される水平溝６ｂに中間屈曲板部５’を設けて、深さ
Ｄ１の水平溝と深さＤ２の水平溝の個数とを同数個としたものである。
【００２０】
この図２に示す変形例１の場合、深さＤ１の水平溝６ｂ’と深さＤ２の水平溝７ｃが下
側の屈曲板部５と中間屈曲板部５’とにより追加形成され、深さＤ１の水平溝６ｂ”と深
さＤ２の水平溝７ｄとが中間屈曲板部５’と上側の屈曲板部５とにより形成される。
【００２１】
この変形例１による場合、実施例によるものに較べてより一層効率よく干渉による減音
を図ることができる。
（変形例２）
図３は本発明の実施例の変形例２を示すもので、この変形例２の場合、干渉溝形成用壁
板４に形成する屈曲板部５の個数を１個とし、干渉溝形成用壁板４の構造の簡略化を図っ
たものである。
【００２２】
この図３に示す変形例２の場合、深さＤ１の水平溝６ａと深さＤ２の水平溝７ａとがパ
ラペット部１と屈曲板部５とにより形成され、深さＤ１の水平溝６ｃと深さＤ２の水平溝
７ｂとが屈曲板部５と手摺り子３とによって形成される。
【００２３】
以上、本発明の実施例について説明したが、本発明はこれに限らず以下のものを含むも
のである。
【００２４】
この実施例、変形例では、手摺り子３をパラペット部１に立設した支持脚２に支持させ
る構成としたが、干渉溝形成壁板４に手摺り子３を支持させる構成としても良い。
【００２５】
また、この実施例、変形例では、干渉溝を水平溝としたが垂直溝としても良い。
【図面の簡単な説明】
【００２６】
【図１】本発明の実施例に係わるバルコニー用防音手摺り構造の部分斜視図である。
【図２】図１に示す実施例の干渉の原理を説明するための図である。
【図３】本発明のバルコニー用防音手摺り構造の変形例を示す斜視図である。
【図４】本発明のバルコニー用防音手摺り構造の更に他の変形例を示す斜視図である。
【符号の説明】
【００２７】
１…パラペット部
３…手摺り子
４…干渉用形成壁板
６、７…干渉溝
【図１】
2005256566.tif 000003
【図２】
2005256566.tif 000004
【図３】
2005256566.tif 000005
【図４】
2005256566.tif 000006